(57)【要約】  符号変換の必要及び選択は中央通話制御機能（１７，３５）により実行される。各符号変換装置（１８，２３，３４，３６）は適切な通話制御部（１７，３５）に登録する。続いて、通話制御部は音声符号化装置が必要であるのか否かを判定する。音声符号化が必要である場合、通話制御部（１７，３５）は適切な符号変換装置（１８，３４）を選択し、適切な符号変換装置をベアラトラフィックのストリーム（１６）に挿入する。
2007510324.tif 000002
【特許請求の範囲】
【請求項１】
発信側装置の受信側装置との通信互換性及び受信側装置の発信側装置との通信互換性を提供する音声符号化装置選択方法であって、
発信側装置が通信ネットワークを通じて通話制御装置に受信側装置への接続を要求する接続要求工程と、
発信側装置と受信側装置との間の接続に符号変換装置が必要であるか否かを通話制御装置が判定する符号変換装置必要性判定工程と、
符号変換装置が必要である場合、通話制御装置が該接続に符号変換装置を挿入する符号変換装置挿入工程とからなる方法。
【請求項２】
符号変換装置が通話制御装置に登録する工程を含む請求項１に記載の方法。
【請求項３】
登録する工程は複数の符号変換装置が通話制御装置に登録する工程を含む請求項２に記載の方法。
【請求項４】
登録する工程は音声符号化装置の性能のセットを符号変換装置から通話制御装置へ伝送する工程を含む請求項３に記載の方法。
【請求項５】
通話制御装置が通信ネットワークに受信側装置との接続を要求する工程を含む請求項１に記載の方法。
【請求項６】
通話制御装置が発信側装置に受信側装置との接続の肯定応答を行う工程を含む請求項１に記載の方法。
【請求項７】
通話制御装置が受信側装置に発信側装置との接続の肯定応答を行う工程を含む請求項１に記載の方法。
【請求項８】
符号変換装置必要性判定工程において符号変換装置は必要でないことが示される場合、発信側装置と受信側装置との間に直接的な接続を行うように通話制御装置が通信ネットワークに指示する工程を含む請求項１に記載の方法。
【請求項９】
接続要求工程は発信側装置の音声符号化装置の性能のセットを通話制御装置へ伝送する工程を含む請求項１に記載の方法。
【請求項１０】
受信側装置の音声符号化装置の性能のセットを通話制御装置へ伝送する工程を含む請求項１に記載の方法。
【請求項１１】
符号変換装置挿入工程は発信側装置及び受信側装置の通信性能を提供するための符号変換装置を通話制御装置が選択する符号変換装置選択工程を含む請求項１０に記載の方法
【請求項１２】
符号変換装置選択工程は音響品質に基づき符号変換装置を最適に選択する工程を含む請求項１１に記載の方法。
【請求項１３】
通信ネットワークは移動体電気通信ネットワークを含む請求項１に記載の方法。
【請求項１４】
通信ネットワークはワイドエリアネットワークを含む請求項１に記載の方法。
【請求項１５】
発信側装置は移動局及びインターネット・プロトコル電話機のうちの少なくとも一方を含み、受信側装置は移動局及びインターネット・プロトコル電話機のうちの少なくとも一方を含む請求項１に記載の方法。
【請求項１６】
発信側装置と受信側装置との間の通信を提供する通信ネットワークにおける音声符号化装置選択方法であって、
発信側装置によりサポートされる音声符号化装置の第１のセットを通話制御装置が判定する第１音声符号化装置判定工程と、
受信側装置によりサポートされる音声符号化装置の第２のセットを通話制御装置が判定する第２音声符号化装置判定工程と、
音声符号化装置の第１のセットのうちの１つ以上の音声符号化装置と、音声符号化装置の第２のセットのうちの１つ以上の音声符号化装置とを有する符号変換装置を通話制御装置が挿入する符号変換装置挿入工程とからなる方法。
【請求項１７】
符号変換装置挿入工程は音声符号化装置の第１のセット及び第２のセットの音響品質に基づき符号変換装置を最適に選択する工程を含む請求項１６に記載の方法。
【請求項１８】
符号変換装置挿入工程は第１及び第２の音声符号化装置の最小帯域幅に基づき符号変換装置を最適に選択する工程を含む請求項１６に記載の方法。
【請求項１９】
符号変換装置挿入工程は音声符号化装置の第１のセット及び第２のセットが好適に一致することに基づき符号変換装置を最適に選択する工程を含む請求項１６に記載の方法。
【請求項２０】
発信側装置と受信側装置との間の通信ネットワークを通じる通話をサポートする音声符号化装置選択方法であって、
発信側装置の音声符号化装置の第１のセットの性能を取得する工程と、
受信側装置の音声符号化装置の第２のセットの性能を取得する工程と、
発信側装置の音声符号化装置の第１のセットの性能のうちの１つ以上をサポートするため及び受信側装置の音声符号化装置の第２のセットの性能のうちの１つ以上をサポートするための符号変換装置を選択する工程とからなる方法。
【発明の詳細な説明】
【技術分野】
【０００１】
本発明は移動体の電気通信に関する。より詳細には、本発明は端点間の音声符号化装置の選択に関する。
【背景技術】
【０００２】
無線接続ネットワーク（ＲＡＮ）における移動局及びボイス・オーバ・インターネット・プロトコル電話ネットワークにおけるインターネットプロトコル電話機には、他のＩＰ電話機又は移動局と通信するための音声符号化装置が必要である。これらのＩＰ電話機又は移動局の音声符号化装置の要件は、異なる場合がある。
【０００３】
大抵の電話システム及び無線システムでは、ネットワークを通じる伝送においてよく知られている音声符号化装置に対し各端点のユーザを符号変換することにより音声符号化装置の不一致の問題が解決されるが、これは最適な方法ではない。通常、そうした伝送においてはＧ．７１１プロトコルが用いられる。複数の端点が自身のサポートする音声符号化性能を交渉することにより、音声符号化が設定される。これは、不一致な音声符号化装置間での符号変換と呼ばれる。この符号変換は、符号変換が必要でない状況（即ち、音声符号化装置が一致している場合）においても実行されることがある。
【０００４】
セッション開始プロトコル（ＳＩＰ）を用いるボイス・オーバ・インターネット・プロトコルのネットワークにおいては、ＩＰ電話機のうちの１つが、２つの端点の音声符号化装置の性能間に不一致が存在することを検知し得る。この結果、通信を可能とする共通の音声符号化装置構成を一方の端点がサポートしないために、通話に失敗する場合がある。また、ＩＰ電話機又は端点が通話に符号変換装置を追加する要求を生成する場合がある。この場合、ネットワークを通じる幾つかの工程が必要である。さらに、符号変換装置の追加には、通話に挿入される符号変換装置に接続して制御する方法を、特定の端点又は電話機が認識する必要がある。そうした構成には多くの工程及びネットワーク処理が必要である。さらに、符号変換サービスを提供するために、通話には有意な遅延が挿入される。
【０００５】
したがって、端点から独立であり、端点による音声符号化装置選択の必要なく端点間に透過性の通信を提供する、音声符号化装置選択方法を有することが非常に所望される。
【発明を実施するための最良の形態】
【０００６】
図１には、本発明を実施する無線接続ネットワークのブロック図を示す。図１に示す２つの移動局（ＭＳ）１２，２７は、ＲＡＮ（無線接続ネットワーク）１４、基地局１５、基地局２０及びＲＡＮ２５を介して端点間に接続されている。移動局１２はＲＡＮ１４への無線接続により、無線を通じてサービス提供されている。通常、ベアラ及び信号パストラフィックの両方は、ＲＡＮ１４により通話制御部１７を通じて別の基地局２２へと伝送され、移動局２７に到達する。
【０００７】
移動局１２，２７は非互換性の音声符号化装置を有し得るため、通話制御部１７，２２は、それぞれ符号変換装置１８，２３のベアラトラフィックパス１６への挿入を制御する。信号情報即ち制御情報はパス１３を介して伝送される。
【０００８】
移動局１２が移動局２７と通信するより前に、符号変換装置１８は通話制御部１７に登録する。同様に、符号変換装置２３は通話制御部２２に登録する。この登録処理には、符号変換装置の性能のセットを適切な通話制御部に提供することが含まれる。このようにして、通話制御部１７は、通話制御部１７が接続可能な各符号変換装置、ここでは符号変換装置１８を示す、に関する完全な性能を認識する。
【０００９】
移動局１２は、移動局２７への通話を開始するとき、移動局１２がサポートする音声符号化装置のセットを通信開始の際に組み込む。この音声符号化装置のセットは、パス１３を介して通話制御部１７へ伝送される。通話制御部１７が移動局２７への信号パスを確立させるとき、移動局２７は自身がサポートする音声符号化装置のセットにより、通話制御部１７に応答する。続いて、通話制御部１７は、符号変換装置１８内のいずれの音声符号化機能が移動局１２の音声符号化装置のセット及び移動局２７の音声符号化装置のセットとの互換性を有するかを判定する。続いて、通話制御部１７は、その音声符号化機能をベアラトラフィックパス１６に挿入するように符号変換装置１８に指示することにより、音声符号化機能を挿入する。
【００１０】
通常、従来技術においては、移動局１２，２７の間に複雑な交渉が行われる。さらに、音声符号化装置間の互換性を提供するため、移動局１２，２７のうちの一方が符号変換装置において接続を開始する方法を認識する必要がある。
【００１１】
移動局１２，２７が全く互換性の音声符号化装置を有すると通話制御部１７が判定する場合、符号変換装置の挿入なしでパス１９を介し移動局１２，２７の直接的な接続が行われる。しかしながら、例えば移動局１２が特定の音声符号化装置Ｖ１を備え、移動局２７が音声符号化装置Ｖ２を備える場合、通話制御部１７には符号変換機能が必要である。続いて、通話制御部１７は、音声符号化装置１から音声符号化装置２へ及び音声符号化装置２から音声符号化装置１への互換性情報を翻訳する符号変換装置を検出する。続いて、通話制御部１７は、この特定の符号変換機能をベアラトラフィックパス１６に挿入するように、符号変換装置１８を設定する。次に、通話制御部１７は、移動局１２の音声符号化装置Ｖ１がデータ伝送のための互換性を有することを、移動局１２に示す。続いて、通話制御部１７は、移動局２７の音声符号化装置Ｖ２が移動局１２との伝送のための互換性を有することを、移動局２７に示す。
【００１２】
続いて、移動局１２，２７の間に通信が行われ得る。通話制御部１７は符号変換装置が必要であるか否かを判定することにより、音声符号化の互換性に関する移動局１２，２７の間の複雑な交渉を回避する。符号変換装置１８による符号変換装置機能のベアラパス１６への挿入は、移動局１２，２７の両方に対し透過性である。このようにして、移動局１２，２７の必要及び要件に基づき、通話制御部１７は符号変換機能を最適に選択し得る。
【００１３】
図２には、本発明の音声符号化装置選択方法をサポートするボイス・オーバ・インターネット・プロトコル・ネットワーク３０のブロック図を示す。図２に示すインターネット・プロトコル（ＩＰ）電話機３２，４２は、ワイドエリアネットワーク（ＷＡＮ）４０を介して接続されている。また、符号変換装置（ＸＣＤＲ）３４，３６もワイドエリアネットワーク４０に接続されている。加えて、通話制御部３５がＷＡＮ４０及び符号変換装置３４，３６に接続されている。
【００１４】
図１の無線接続ネットワークと同様に、図２のボイス・オーバ・インターネット・プロトコル（ＶＯＩＰ）ネットワークは、符号変換装置３４，３６の両方に接続されている。符号変換装置３４，３６は、それら自身の性能のセットを通話制御部３５に登録する。
【００１５】
ＩＰ電話機３２が通話の発信側装置（ｏｒｉｇｉｎａｔｏｒ）であり、ＳＩＰ（セッション開始プロトコル）招待（ＩＮＶＩＴＥ）メッセージはワイドエリアネットワーク４０を介して通話制御部３５へ送信されると仮定する。通話制御部３５は、この招待メッセージを受信側装置（ｔｅｒｍｉｎａｔｏｒ）４２へ伝送し、受信側装置４２の音声符号化装置の性能を要求する。招待メッセージにはＳＤＰ提示は含まれない。受信側装置のＩＰ電話機４２は、自身の音声符号化装置の性能を送信することにより、通話制御部３５に応答する。
【００１６】
続いて、通話制御部３５は符号変換装置が必要であるか否かを判定する。符号変換装置が必要でない場合、通話制御部３５は発信側装置３２及び受信側装置４２の両方に肯定応答を行い、符号変換装置の挿入なく、発信側装置３２から受信側装置４２へ直接的に通話が行われる。
【００１７】
符号変換装置が必要である場合、通話制御部３５は、いずれの符号変換装置が発信側装置３２及び受信側装置４２との互換性を有するかを判定する。続いて、通話制御部３５はワイドエリアネットワーク４０への挿入において、その符号変換装置を選択する。このとき、トラフィックパスはＩＰ電話機即ち発信側装置３２からワイドエリアネットワーク４０へと続き、符号変換装置３４又は符号変換装置３６へと続き、ワイドエリアネットワーク４０、ＷＡＮ４０へと戻り、受信側装置のＩＰ電話機４２へと続く。
【００１８】
関与している発信側装置３２及び受信側装置４２の各々に必要なのは、自身の性能を通話制御部３５へ送信することのみである。通話制御部３５は符号変換装置が必要であるか否かを判定する。通話制御部３５は、発信側装置３２及び受信側装置４２の性能に基づき、符号変換装置を最適に選択する。続いて、通話制御部３５は、発信側装置３２及び受信側装置４２へ介入することなく、発信側装置３２及び受信側装置４２に対して透過性に、選択した符号変換装置を通話のストリームに挿入する。
【００１９】
図３には、図２のＶＯＩＰネットワーク及び図１のＲＡＮネットワークの両方を説明する通話フロー図を示す。通話が行われるより前に、５０にて、符号変換装置１８，３４の各々は通話制御部１７，３５に登録する。この登録には、符号変換装置の性能のリストを伝送することが含まれる。即ち、いずれの入力音声符号化装置がいずれの出力音声符号化装置に接続され得るかを示すリストが提供される。同様に、５２にて、他方の符号変換装置２３，３６は、それぞれ通話制御部１７，３５に登録する。
【００２０】
ＶＯＩＰネットワークの場合、５４にて、発信側装置３２が通話制御部３５に招待要求を送信する。ＲＡＮネットワークの場合、５４にて、移動局１２による発信の際にメッセージが通話制御部１７に送信される。招待及び開始には各々、発信側装置１２，３２が送信及び受信の性能を有する音声符号化装置のセットが含まれる。次に、通話制御部１７，３５は移動局２７又は受信側装置４２に招待又はメッセージを送信する。５６にて、このメッセージには、発信側装置１２，３２の音声符号化性能や、受信側装置２７，４２において利用可能な音声符号化装置のセットが任意で含まれる。続いて、５８にて、受信側装置２７，４２は自身の音声符号化性能のセットを含むメッセージにより応答する。通話制御部１７，３５は受信側装置２７，４２からこの応答を受信する。続いて、通話制御部１７，３５は符号変換が必要であるか否かを判定する。５９にて、符号変換装置が必要であると通話制御部１７，３５が判定する場合、６０にて、通話制御部１７，３５は適切な符号変換装置１８，３４を挿入する。
【００２１】
ＶＯＩＰネットワークの場合、６２にて、通話制御部ネットワークは、２００  ｏｋのメッセージにより応答する。ＲＡＮネットワークの場合、通話制御部１７は発信側装置１２に応答し、特定の音声符号化装置が選択されたことを示す。ＶＯＩＰネットワークの場合、次に、６４にて、通話制御部３５が受信側装置４２に肯定応答（ＡＣＫ）メッセージを送信し、特定の音声符号化装置が選択されたことを示す。ＲＡＮの例の場合、発信側装置１２との通話の互換性のために特定の音声符号化装置が選択されたことが、６４にてメッセージにより示される。
【００２２】
符号変換装置が必要でないと通話制御部１７，３５が判定する場合、６６にて、ネットワークを通じて発信側装置から受信側装置へ直接的なパスが確立される。符号変換装置１８，３４がそれぞれ通話制御部１７，３５により挿入される場合、６８にて、発信側装置１２，３２から符号変換装置１８，３４へのパスが確立される。加えて、７０にて、符号変換装置１８，３４からのパスがそれぞれ受信側装置２７，４２まで確立される。
【００２３】
符号変換装置の選択を最適に判定及び選択するため、通話制御部１７，３５は幾つかの方法を選択してよい。最初に、２つの端点（例えば、移動局又はＩＰ電話機）により供給される音声符号化装置のセットに基づき、通話制御部は全ての可能な符号変換装置の選択肢を検出する。続いて、通話制御部１７，３５は以下の代替の方法のうちの１つを用いて、最適な符号変換装置を選択する。
【００２４】
第１の方法では、通話制御部は最良の音声品質を与える符号変換装置を選択してよい。この選択は音響品質の得点化を用いて行われてよく、例えば、最高の端点間品質を有する符号変換装置が選択される。
【００２５】
第２の方法では、通話制御部は２つの端点に関して最高の選択順位に最も良く一致する最適な符号変換装置を選択してよい。２つの端点１２，２７が通話制御部に音声符号化装置の順位順のリストを提供する場合、通話制御部１７はその順に一致する１〜ｎの番号を各々与える。通話制御部は、２つの端点に関するプリファレンス（２つの順位の和が最小であること）に最も良く一致する符号変換装置を選択する。例えば、共通の符号変換装置が一方の端点のリストでは第１の順位にあり、他方の端点のリストでは第１０の順位にある場合（合計＝１１）、この符号変換装置に優先して、両方のリストにて第２の順位にある符号変換装置（合計＝４）が選択される。
【００２６】
第３の方法では、通話制御部１７は端点のうちの一方又は両方における帯域幅の要件を最小とする符号変換装置を選択してよい。例えば、通話制御部は、端点と符号変換装置との間に必要な帯域幅チャネルが最小である符号変換装置を選択し得る。
【００２７】
発信側装置と受信側装置との間の複雑な交渉とは対照的に、本発明の音声符号化装置選択方法により、中央サーバ又は通話制御ユニットによる選択の利益が提供される。さらに、符号変換装置の挿入は発信側装置及び受信側装置に対し完全に透過性であり、発信側装置及び受信側装置の処理を非常に単純化して、所望されない交渉遅延を除去する。加えて、必要であると否とを問わず共通の符号変換装置を通じて接続することに代えて、通話制御部が発信側装置及び受信側装置の特定の性能において最良の符号変換装置を最適に選択し得る。
【図面の簡単な説明】
【００２８】
【図１】本発明による無線電話ネットワークのブロック図。
【図２】本発明によるボイス・オーバ・インターネット・プロトコル電話ネットワークのブロック図。
【図３】本発明による音声符号化装置選択方法の通話フロー図。
【図１】
2007510324.tif 000003
【図２】
2007510324.tif 000004
【図３】
2007510324.tif 000005
【国際調査報告】
2007510324.tif 000006